(57)【要約】【課題】撮像装置に取り込まれる画像のぶれを抑えることができる雲台装置を提供する。【解決手段】雲台回転部２に、取り込む画像のぶれを軽減する防振機能を有する撮像装置１を取り付ける雲台装置において、雲台回転部２の駆動パターン（間歇駆動パターン４０１、一定速度パターン４０２）によって防振機能のオン、オフを決めるＣＰＵ１０１を備える。【選択図】図４
2008268505.tif 000002
【特許請求の範囲】
【請求項１】
雲台回転部に、取り込む画像のぶれを防止する防振機能を有する撮像装置を取り付ける雲台装置において、
前記雲台回転部の駆動パターンによって前記防振機能のオン、オフを決める制御手段を備えることを特徴とする雲台装置。
【請求項２】
前記駆動パターンは、前記雲台回転部が起動、停止を繰り返す間歇駆動パターンと前記雲台回転部が一定速度で回転する一定速度パターンであることを特徴とする請求項１記載の雲台装置。
【請求項３】
前記駆動パターンを予め前記制御手段に記憶し、前記雲台回転部の駆動開始命令を受信したとき、記憶されていた前記駆動パターンを基に、前記雲台回転部を駆動することを特徴とする請求項２記載の雲台装置。
【請求項４】
雲台回転部に、取り込む画像のぶれを防止する防振機能を有する撮像装置を取り付ける雲台装置において、
前記雲台回転部の駆動開始命令を受信する受信手段と、
前記駆動開始命令に基づいて駆動パターンを生成する生成手段と、
前記駆動パターンが前記間歇駆動パターンのとき、前記防振機能をオンにするオン手段と、
前記駆動パターンが前記一定速度パターンのとき、前記防振機能をオフにするオフ手段と、
前記雲台回転部の駆動終了命令を受信したとき、前記駆動パターンが前記一定速度パターンの場合に前記防振機能をオンに復帰するオン復帰手段と、
を備えることを特徴とする雲台装置。
【請求項５】
雲台回転部に、取り込む画像のぶれを防止する防振機能を有する撮像装置を取り付ける雲台装置において、
前記雲台回転部の駆動開始命令を受信して、前記雲台回転部が回転しつつ画像を取り込む流し撮りモードを選択する選択手段と、
前記駆動開始命令に基づいて駆動パターンを生成する生成手段と、
前記駆動開始命令に基づいて前記防振機能をオフにするオフ手段と、
前記雲台回転部の駆動終了命令を受信した場合、前記防振機能をオンに復帰するオン復帰手段と、
を備えることを特徴とする雲台装置。
【請求項６】
雲台回転部に、取り込む画像のぶれを防止する防振機能を有する撮像装置を取り付ける雲台装置の制御方法において、
前記雲台回転部の駆動開始命令を受信する受信ステップと、
前記駆動開始命令に基づいて駆動パターンを生成する生成ステップと、
前記駆動パターンが間歇駆動パターンのとき、前記防振機能をオンにするオンステップと、
前記駆動パターンが一定速度パターンのとき、前記防振機能をオフにするオフステップと、
前記雲台回転部の駆動終了命令を受信したとき、前記駆動パターンが一定速度パターンの場合に前記防振機能をオンに復帰するオン復帰ステップと、
を備えることを特徴とする雲台装置の制御方法。
【請求項７】
雲台回転部に、取り込む画像のぶれを防止する防振機能を有する撮像装置を取り付ける雲台装置の制御方法において、
前記雲台回転部の駆動開始命令を受信して、前記雲台回転部が回転しつつ画像を取り込む流し撮りモードを選択する選択ステップと、
前記駆動開始命令に基づいて駆動パターンを生成する生成ステップと、
前記駆動開始命令に基づいて前記防振機能をオフにするオフステップと、
前記雲台回転部の駆動終了命令を受信した場合、前記防振機能をオンに復帰するオン復帰ステップと、
を備えることを特徴とする雲台装置の制御方法。
【発明の詳細な説明】
【技術分野】
【０００１】
本発明は、撮像装置（カメラ）付きの雲台装置及びその制御方法に関するものである。
【背景技術】
【０００２】
カメラ付きの雲台装置において、雲台回転部の一定速度での回転動作中は、防振機能を動作させると画像のぶれが大きくなったり、小さくなったりして不自然になるので防振機能を弱める、もしくは止めるようにする技術が提案されている（特許文献１参照）。
【０００３】
また、特許文献２では、以下のように制御する技術が提案されている。
【０００４】
カメラ付きの雲台装置において、雲台回転部の回転、もしくは非回転でカメラの防振機能を動作させるか、させないかを撮影者が予め決める。また、カメラ自身の持つ加速度等のセンサを用いて振動が手ぶれなのか、撮影者の意図するところなのかを判断し、防振機能を動作させる。
【特許文献１】特開２００１−３５８９８２号公報
【特許文献２】特開２０００−１５５３４７号公報
【発明の開示】
【発明が解決しようとする課題】
【０００５】
しかしながら上記従来技術では、雲台回転部が特に高速に回転して停止する場合、停止した瞬間は回転方向に往復振動しているにもかかわらず、画像の不自然な動きを止めるため、防振機能は働かせていない、もしくは防振機能を弱めている。そのため、雲台回転部が停止した瞬間のカメラに取り込まれる画像はぶれてしまう。
【０００６】
上記ぶれを避けるために、雲台回転部の停止後、ある一定時間のタイムラグを設け、その振動が収まってから画像をカメラに取り込むことが行われている。一方、雲台回転部が低速で回転後、回転停止した場合は、停止に伴うぶれは高速時に比べ少ない。この場合は、すぐに防振機能を動作させることで、外乱に対して画像のぶれを減少させることができ、画像取り込みを行えるにもかかわらず、高速回転時と同じシーケンスを行うと一定時間取り込みを待機してしまう。その結果、画像取り込みまでに時間がかかってしまうという問題がある。
【０００７】
また、振動を伴うような雲台回転部の回転、例えば、起動と停止を繰り返す間歇回転を想定した場合、絶えず短い時間で駆動、停止が繰り返されているので、カメラは常に振動しており、取り込まれる画像もぶれている。この場合は、雲台回転部の回転時、防振機能を働かせていたほうが、取り込まれる画像ぶれは少ない。
【０００８】
また一方で、一定速度の回転を行っているカメラ付きの雲台装置において、カメラ内でのセンサで防振機能を動作させるシーケンスの場合、予め動作パターンが判っているにも関わらず、センサの出力で防振機能を動作させるため、処理時間を要する。
【０００９】
即ち、センサの出力に基づいて防振機能の動作、非動作の選択が行われるので（以降、オン、オフと略す）、防振機能の動作が実行されるまでのタイムラグが生じ、ぶれが増大し不自然な画像となる。その結果として、撮影者の意図が雲台装置の回転動作に反映できなかった。
【００１０】
本発明の目的は、撮像装置に取り込まれる画像のぶれを抑えることができる雲台装置及びその制御方法を提供することにある。
【課題を解決するための手段】
【００１１】
上記目的を達成するために、請求項１記載の雲台装置は、雲台回転部に、取り込む画像のぶれを防止する防振機能を有する撮像装置を取り付ける雲台装置において、前記雲台回転部の駆動パターンによって前記防振機能のオン、オフを決める制御手段を備えることを特徴とする。
【００１２】
請求項４記載の雲台装置は、雲台回転部に、取り込む画像のぶれを防止する防振機能を有する撮像装置を取り付ける雲台装置において、前記雲台回転部の駆動開始命令を受信する受信手段と、前記駆動開始命令に基づいて駆動パターンを生成する生成手段と、前記駆動パターンが間歇駆動パターンのとき、前記防振機能をオンにするオン手段と、前記駆動パターンが一定速度パターンのとき、前記防振機能をオフにするオフ手段と、前記雲台回転部の駆動終了命令を受信したとき、前記駆動パターンが一定速度パターンの場合に前記防振機能をオンに復帰するオン復帰手段とを備えることを特徴とする。
【００１３】
請求項５記載の雲台装置は、雲台回転部に、取り込む画像のぶれを防止する防振機能を有する撮像装置を取り付ける雲台装置において、前記雲台回転部の駆動開始命令を受信して、前記雲台回転部が回転しつつ画像を取り込む流し撮りモードを選択する選択手段と、前記駆動開始命令に基づいて駆動パターンを生成する生成手段と、前記駆動開始命令に基づいて前記防振機能をオフにするオフ手段と、
前記雲台回転部の駆動終了命令を受信した場合、前記防振機能をオンに復帰するオン復帰手段とを備えることを特徴とする。
【００１４】
請求項６記載の雲台装置の制御方法は、雲台回転部に、取り込む画像のぶれを防止する防振機能を有する撮像装置を取り付ける雲台装置の制御方法において、前記雲台回転部の駆動開始命令を受信する受信ステップと、前記駆動開始命令に基づいて駆動パターンを生成する生成ステップと、前記駆動パターンが間歇駆動パターンのとき、前記防振機能をオンにするオンステップと、前記駆動パターンが一定速度パターンのとき、前記防振機能をオフにするオフステップと、前記雲台回転部の駆動終了命令を受信したとき、前記駆動パターンが一定速度パターンの場合に前記防振機能をオンに復帰するオン復帰ステップとを備えることを特徴とする。
【００１５】
請求項７記載の雲台装置の制御方法は、雲台回転部に、取り込む画像のぶれを防止する防振機能を有する撮像装置を取り付ける雲台装置の制御方法において、前記雲台回転部の駆動開始命令を受信して、前記雲台回転部が回転しつつ画像を取り込む流し撮りモードを選択する選択ステップと、前記駆動開始命令に基づいて駆動パターンを生成する生成ステップと、前記駆動開始命令に基づいて前記防振機能をオフにするオフステップと、前記雲台回転部の駆動終了命令を受信した場合、前記防振機能をオンに復帰するオン復帰ステップとを備えることを特徴とする。
【発明の効果】
【００１６】
本発明の雲台装置によれば、撮像装置に取り込まれる画像のぶれを抑えることができる。
【発明を実施するための最良の形態】
【００１７】
以下、本発明の実施の形態を図面を参照しながら詳細に説明する。
【００１８】
図１は、本発明の第１の実施の形態に係る雲台装置の正面図、図２は、本発明の第１の実施の形態に係る雲台装置の側面図である。
【００１９】
図１、図２において、デジタルカメラ（以降、デジカメと略す）１は雲台回転部２に載置される。そして、結合ユニット３によりデジカメ１と雲台回転部２とを結合する（詳細は後述）。デジカメ１は、取り込む画像のぶれを防止する防振機能を有する。
【００２０】
以下、雲台装置のユニットを説明する。
【００２１】
外部端子４は、デジカメ１を外部からコントロールすることができ、かつ、ビデオ信号を取り出すことができる。雲台固定部５にはパンモータ６があり、また、パンモータ６を駆動する駆動回路７がある。
【００２２】
通信ケーブル８は、デジカメ１のすべての電気信号を、外部端子４を経由して雲台固定部５とやりとりするためのものである。コントロールケーブル９は、駆動回路７に電力を供給し、また、デジカメ１からの信号を取り出すための信号を送る。
【００２３】
雲台固定部５には固定軸１０が圧入されている。その固定軸１０に軸受１４ａ，１４ｂが回転可能に挿入されている。また回転ユニットケース１２は軸受１４ａ、１４ｂを同軸に固定している。固定軸１０における段差１１と、雲台回転部２の一部を構成する回転ユニットケース１２の回転中心の穴に貫通した固定軸１０の上端部に挟み込まれたＥリング１３によって、雲台回転部２は上下方向に固定され回転可能になる。
【００２４】
またパンモータ６において、回転するパンモータ軸１５にパン回転ギア１６が固定されている。尚、パン回転ギア１６は、回転ユニットケース１２の内側に形成されたパンギア１７がかみ合っている。
【００２５】
一方、雲台回転部２の内部にはチルトモータ１８が固定され、チルトモータ回転軸１９、チルトモータ回転軸１９に固定され、チルトモータ回転軸１９とともに回転する回転チルトギア２１がある。チルト固定ギア２２は回転チルトギア２１にかみ合っている。チルト固定ギア２２はカメラ側板２３の一部を構成している。
【００２６】
カメラ側板２３は結合ユニット３の一部を構成している。カメラ押さえ板２４はカメラ側板２３と対向する位置にあり、カメラ側板２３とカメラ押さえ板２４でデジカメ１の結合ユニット３の一部を構成している。
【００２７】
デジカメ１を含む結合ユニット３は、チルト軸２５、２６を介して、雲台回転部２の内側に固定されたチルト側板２７、２８、及びステー２９、３０を介して雲台回転部２に取り付けられている。このチルト軸２５はチルト固定ギア２２の中空の穴を通し、カメラ側板２３に回転自在に固定されている。
【００２８】
図３は、本発明の第１の実施の形態に係る雲台装置におけるチルト動作状態の側面図である。
【００２９】
図３において、チルトモータ１８が回転し、回転チルトギア２１が回転する。その後、回転チルトギア２１にかみ合っているチルト固定ギア２２が回転させられ、それに合わせてカメラ側板２３がチルト軸２５を中心に回転する。結果、デジカメ１を含む結合ユニット３は図３のようにチルト回転する。
【００３０】
次に、固定軸１０を回転中心にして雲台回転部２が回転するいわゆるパン回転について説明する。
【００３１】
図４は、本発明の第１の実施の形態に係る雲台装置のブロック図である。
【００３２】
図４において、２点鎖線で囲まれた領域は雲台固定部５である。また、１点鎖線で囲まれた領域は雲台回転部２である。
【００３３】
図４において、雲台装置は、ＣＰＵ（制御手段）１０１、チルトモータ１８に接続されたチルトモータドライバ１０２、パンモータ６に接続されたパンモータドライバ１０３、を備える。
【００３４】
チルトモータドライバ１０２とパンモータドライバ１０３はＣＰＵ１０１に接続されている。また、ＣＰＵ１０１は、通信ケーブル８を介して外部端子４を経由してデジカメ１に接続されている。
【００３５】
コントローラ１０４が、ＣＰＵ１０１とコントローラケーブル９で接続されている。尚、コントローラケーブル９はイーサネット(登録商標)ケーブルでもよい。この場合、コントローラ１０４はパソコンで、ＣＰＵ１０１にはＷｅｂサーバ機能を包含していれば実現可能である。
【００３６】
コントローラ１０４からモータ駆動開始命令がコントローラケーブル９経由でＣＰＵ１０１に送り込まれる。このとき、駆動開始命令は回転方向、回転速度、停止位置情報が含まれる。
【００３７】
その情報を元に、ＣＰＵ１０１において駆動パターンが生成され、駆動パターンに基づいてＣＰＵ１０１からチルトモータドライバ１０２、パンモータドライバ１０３に信号が伝えられる。そして、所定のスピード、目標位置まで雲台回転部２が動くように駆動電流を流す。
【００３８】
次に、上記デジカメ１における防振機能について説明する。
【００３９】
デジカメ１には防振機能があり、画像取り込み時に手ぶれなどが生じてもそのぶれ量を検出して、取り込まれた画像のぶれを補正する。もしくは検出したぶれ量に基づいて、光学的にレンズや撮像素子を動かし、画像の取り込み時にぶれを補正する。この防振機能は、デジカメ１のオン、オフスイッチだけでなく、外部に接続された通信ケーブル８から送られる信号によってもオン、オフ可能である。
【００４０】
さらに、デジカメ１における防振機能について、図５を用いて詳細に説明する。
【００４１】
図５は、図１におけるデジカメの防振機能のブロック図である。
【００４２】
図５において、可変頂角プリズム２０１は、撮影光軸をピッチ及びヨー方向に変更自在である。被写体からの光線は、可変頂角プリズム２０１及びズーム・レンズ２０２を介して撮像素子（ＣＣＤ）２０４の光電変換面に入射する。撮像素子２０４は、被写体の光学像を電気信号に変換し、プロセス回路２０５が撮像素子２０４の出力をビデオ信号に変換する。
【００４３】
動きベクトル検出回路２０６は、プロセス回路２０７の出力信号を、現画面と前画面とで比較し、被写体（又はカメラ）の動き量及び方向、即ち、動きベクトルを検出する。制御回路２０８は、動きベクトル検出回路２０６により検出された動きベクトルを所定係数の下で演算し、画像の動きを補償する可変頂角プリズム２０１の駆動信号を生成してアクチュエータ２０９に供給する。
【００４４】
アクチュエータ２０９は、制御回路２０８からの駆動信号に従い、可変頂角プリズム２０１を駆動する。これにより、可変頂角プリズム２０１は、カメラぶれによる画像のぶれを補償又は相殺するように、撮影光軸をピッチ及びヨー方向にシフトする。
【００４５】
撮像素子２０４は、露光時間及び周期を変更自在であり、例えば、高速移動物体を撮影するときには、１／１、０００秒などの高速シャッタモードにする。また、低照度下でも充分なＳ／Ｎを得られるように、露光周期をフィールド周期以上にする長時間露光モードにする。
【００４６】
撮像素子２０４の露光時間及び露光周期は、タイミング制御回路２１０からの制御信号により制御されている。露光時間及び周期は、操作スイッチ２１１のような手段により選択できる。よって操作スイッチ２１１により撮像素子２０４の動作モードを指定すると、タイミング制御回路２１０がその指定に応じて撮像素子２０４を駆動する。
【００４７】
また、操作スイッチ２１１は、図４で示したように、デジカメ１の外部端子４からＣＰＵ１０１経由してコントローラ１０４より操作可能で、防振機能をオン、オフしたり、シャッタスピードを変化させることも可能である。
【００４８】
回転動作中、上記示したように、デジカメ１は、雲台回転部２によって動かされたとＣＰＵ１０１で判断し、ぶれ防振機能が働く。しかしながら、パン動作中のように一定速でかつ同一方向に動く場合、プリズムシフトによるぶれ処理後の画像は回転方向に対し追従するよう動作し、追従しきれないことがＣＰＵ１０１で判明すると追従動作を停止し再度、追従動作を行う。
【００４９】
よって、一定速度で雲台回転部２が動いているとき、特に動画撮影時、視覚的には脈動（起動と停止を同期的に頻繁繰り返す）しながら回転している様に見え、かえって画像そのものが見にくくなる。この場合、通常、防振機能を意図的にオフにし補正は行わない。そして雲台回転部２の回転停止後、防振機能をオンにする。
【００５０】
次に、雲台回転部２の回転動作における高速から停止した場合のシーケンスを考える。
【００５１】
雲台回転部２が高速から停止した瞬間、雲台回転部２は、回転方向における正逆方向に振動し、時間経過とともに振動が減衰していく。この場合、減衰していく過程において防振機能をオンにすることで、上記正逆方向の振動は補正され、回転が停止した瞬間にその振動はデジカメ１を通すと、止まって見える。
【００５２】
次に、雲台回転部２が低速から停止した場合、正逆方向の振動は起こらない。もしくは起こったとしても、撮像検出限界以下であり、ぶれにはならない。この場合は雲台回転部２の停止と同時にぶれ補正機能をオンにする。このことで停止後の外乱（外部からの振動）に対し強くなる。
【００５３】
雲台回転部２が間歇送りをしている場合、起動と停止を繰り返しており、左右に振動しているので、雲台回転部２の駆動中に防振機能をオンにすることでぶれのない連続画像を得ることができる。
【００５４】
尚、間歇送りは、駆動モータの特性で低速でのトルクが足りなくなり、一定速度での連続駆動ができない場合、微小角度の範囲で高速駆動と停止の動作を繰り返し、平均速度として見ると低速駆動している。上記の対応で停止してすぐにぶれのない画像を取り込むことができる。
【００５５】
以上の動作を、図６のフローチャートを用いて説明する。
【００５６】
図６は、図４の雲台装置によって実行される雲台回転部の回転時におけるデジカメの防振機能のオン、オフ処理の手順を示すフローチャートである。
【００５７】
本処理は、図４におけるＣＰＵ１０１によって実行される。
【００５８】
図６において、本フローのスタート時、雲台回転部２は駆動停止しており、デジカメ１の防振機能はオンである。次に、図４におけるＣＰＵ１０１が外部のコントローラ１０４もしくはパソコンより出された駆動開始命令を受信する（ステップＳ６０１）。
【００５９】
その後、その命令に基づき、図７に示すような駆動パターン（２種）を生成する（ステップＳ６０２）（生成手段）。図７において、横軸は経過時間で縦軸は雲台回転部２の速度を示す。間歇駆動パターン４０１は、加速→減速→停止を繰り返す。加減速パターンを含む一定速度パターン４０２は、加速→一定→減速→停止となる。また、一定速度パターン４０２は一定速度領域４０３を有する。
【００６０】
図６に戻り、駆動パターンによって分岐する（ステップＳ６０３）、間歇駆動パターン４０１のときは、先に述べたように初期に設定した防振機能のオンのまま（ステップＳ６０４）（オン手段）雲台回転部２を駆動する（ステップＳ６０６）。
【００６１】
一定速度パターン４０２においては、防振機能をオフ（ステップＳ６０５）（オフ手段）にした後、雲台回転部２を駆動する（ステップＳ６０６）。その後、動作終了命令を受信する（ステップＳ６０７でＹＥＳ）までステップＳ６０３乃至Ｓ６０６の処理を繰り返す。
【００６２】
またステップＳ６０４の防振機能オンの処理は、駆動パターンとして一定速度パターンと間歇駆動パターンが混在する場合において、一定速度駆動パターンでは防振機能をオフに、間歇駆動パターンでは防振機能をオンにそれぞれ切り替えるためである。
【００６３】
図４におけるＣＰＵ１０１は、動作終了命令（駆動終了命令）を受信した後（ステップＳ６０７でＹＥＳ）、動作が間歇駆動パターン４０１か、一定速度パターン４０２の低速か高速かを判断する（ステップＳ６０８）。
【００６４】
尚、ここでいう高速、低速の区別は動作終了命令を受けた後、回転方向と反対方向に回るものを高速、そうでないものを低速とし、予めその値が雲台固定部５内の駆動回路７におけるＣＰＵ１０１に記憶されている。
【００６５】
その判断によって以降の処理方法が異なる。間歇駆動パターンの場合は防振機能オンのまま、本処理を終了する。
【００６６】
一定速度領域４０３が低速の場合、動作終了命令を受け、停止していく過程において、停止直前の速度が０以下に変わったとき（ステップＳ６０９でＮＯ）、初めて防振機能をオンにする（ステップＳ６１０）（オン復帰手段）。
【００６７】
高速の場合は、振動することが前提なので、停止動作に入った直後から防振機能をオンにする（ステップＳ６１０）（オン復帰手段）。これは回転方向の正逆方向の振動による、画像ぶれを除去するためである。
【００６８】
低速の場合、その速度が０以下になった時はすぐに防振機能をオンにする。尚、ステップＳ６０９においてのループは速度が０にまでのタイマとして機能する。停止後、防振機能をオンにする理由としては停止直前直後の外乱を抑えるためである。間歇駆動パターン４０１の場合は、引き続き防振機能はオンのままである。
【００６９】
次に流し撮りモードの場合を説明する。
【００７０】
静止画撮影における流し撮り、即ち、動作している被写体に対し、デジカメ１で常に追い続け、背景が流れて被写体のみが止まって見えるように撮影する場合において、防振機能が働くと、背景の流れを止めてしまって撮影者の意図と異なる画像が取れてしまう。よって流し撮り撮影時に雲台回転部２が回転動作中、防振機能はオフで、撮影が終わったと同時にオンにする。
【００７１】
特に、撮影者が意図的にシャッタスピードを遅くし、動いている被写体の画像を取る場合、シャッタの開閉のタイミングは、図７における一定速度領域４０３内で開始、停止する。このことで対象物は止まって、背景が流れるというような撮影者の意図するところが画像に反映される。
【００７２】
図８は、図４の雲台装置によって実行される、流し撮りモードにおける雲台回転部の回転時のデジカメの防振機能のオン、オフ処理の手順を示すフローチャートである。
【００７３】
本処理は、図４におけるＣＰＵ１０１によって実行される。
【００７４】
図８において、本フローのスタート時は、デジカメ１の防振機能はオンである。駆動開始命令を受信して流し撮りモードが選択されると（ステップＳ８０１）（選択手段）、駆動パターンを生成する（ステップＳ８０２）（生成手段）。その後、防振機能をオフにする（ステップＳ８０３）（オフ手段）。
【００７５】
雲台回転部２を駆動し（ステップＳ８０４）、動作終了命令が受信されるまで（ステップＳ８０５でＹＥＳ）、防振機能はオフされる。尚、この間に図４におけるＣＰＵ１０１の命令によってシャッタは切られる（画像は取り込まれる）。このことで、流し撮りは実現される。
【００７６】
一定速度領域４０３の速度を判断する（ステップＳ８０６）。一定速度領域４０３の速度が低速の場合、動作終了命令を受け、停止していく過程において、速度が０以下になって（ステップＳ８０７でＮＯ）、初めて防振機能をオンにする（ステップＳ８０８）（オン復帰手段）。
【００７７】
高速の場合は、振動することが前提なので、停止動作に入った直後から防振機能をオンにする。これは停止直後の振動による、画像ぶれを除去するためである。
【００７８】
以上、いずれの場合においても、駆動命令においてどのモード（一定速度パターンモード、間歇駆動パターンモード、流し撮りモード）であるか、ＣＰＵ１０１が判断できれば、特別なハードウエアを追加することなしに同じシーケンスで対応ができる。
【００７９】
また、ＣＰＵ１０１に、予め動作姿勢、重心移動、駆動パターンによる振動及び減衰時間を記憶させておく。そして、動作命令受信と同時にその駆動パターンと照合させ、一番近い駆動パターンによる動作時の防振機能のオン、オフのタイミング、及び停止時の振動減衰防振機能のオン、オフのタイミングを駆動命令とともに送ることで、同等な機能が実現できる。もしくはＣＰＵ１０１において振動や減衰時間を演算し、オン、オフのタイミングを求めてもよい。
【００８０】
以上、パン回転について述べてきたが、後述する図９に示すようなチルト回転時においても上記シーケンスすべてに対応可能である。また、さらには、パンチルト同時駆動する場合も同じシーケンスで対応可能である。
【００８１】
図９は、本発明の第２の実施の形態に係る雲台装置の側面図である。
【００８２】
図９は、監視カメラシステムを示している。カメラ部６０７には、デジカメ同様な防振機能が備わっている。
【００８３】
雲台装置は、回転部６０１、固定部６０２、固定部６０２に固定されたパンモータ６０３を備える。パンモータ６０３の回転部にはパンモータギア６０４があり、回転部６０１の内側には回転部ギア６０５があり、パンモータギア６０４とかみ合っており、パンモータ６０３の回転によって回転部６０１が回転する。回転部６０１には側板６０６によって回転可能に固定されたカメラ部６０７がある。
【００８４】
また、カメラ部６０７には、図５と同様な防振機能が備わっており、かつ、チルトモータ６０８が固定されている。側板６０６には、カメラ部６０７を回転可能に支持するチルト固定軸６１２がある。
【００８５】
また、チルト固定軸６１２と同軸にチルトギア６０９があり、チルトモータ６０８の軸に固定されたチルトモータギア６１０とかみ合っている。チルトモータ６０８が回転すると、チルトモータギア６１０が回転し、その回転力がチルトギア６０９からチルト固定軸６１２に伝達される。チルト固定軸６１２の回転に同期してカメラ部６０７かチルト回転する。
【００８６】
カメラケーブル６１１には、カメラ部６０７に対するビデオ信号、カメラコントロール信号、チルトモータ制御信号が通る。コントロールケーブル６１３は、外部のコントローラと固定部６０２とを結ぶ。このコントロールケーブル６１３ケーブルを介してビデオ信号、監視カメラ制御信号を送受信し、このことによって外部のパソコンから上記防振機能のオン、オフ制御が可能である。
【００８７】
監視カメラが扱う画像は動画（連続撮影）が中心であり、デジカメ１に関しては静止画が中心である。また機構的には両者は異なる。しかしながら、監視カメラの動作シーケンス図６、図８で示すシーケンスにすることで、監視カメラにおいても第１の実施の形態で示した有効な防振機能が実現できる。
【００８８】
以上説明したように、本発明の実施形態では、動作前に予め判明している回転動作もしくは回転速度、重心位置もしくは重心位置の変化によって選択的に撮像装置の防振機能をオン、オフさせる。このことで、雲台装置の外乱によって生じる、撮像装置に取り込まれる画像のぶれを抑えることが可能となる。また間歇駆動の場合における、動作状態での画像ぶれを抑えることが可能となる。また、不用意な雲台回転部の動作のぶれの抑制によって撮影者の意図との差異が生じなくなる。
【図面の簡単な説明】
【００８９】
【図１】本発明の第１の実施の形態に係る雲台装置の正面図である。
【図２】本発明の第１の実施の形態に係る雲台装置の側面図である。
【図３】本発明の第１の実施の形態に係る雲台装置におけるチルト動作状態の側面図である。
【図４】本発明の第１の実施の形態に係る雲台装置のブロック図である。
【図５】図１におけるデジタルカメラの防振機能のブロック図である。
【図６】図４の雲台装置によって実行される雲台回転部の回転時のデジタルカメラの防振機能のオン、オフ処理の手順を示すフローチャートである。
【図７】図１における雲台回転部の駆動パターンを示す図である。
【図８】図４の雲台装置によって実行される、流し撮りモードにおける雲台回転部の回転時のデジタルカメラの防振機能のオン、オフ処理の手順を示すフローチャートである。
【図９】本発明の第２の実施の形態に係る雲台装置の側面図である。
【符号の説明】
【００９０】
１  デジタルカメラ（撮像装置）
２  雲台回転部
３  結合ユニット
５  雲台固定部
６  パンモータ
７  駆動回路
８  通信ケーブル
９  コントロールケーブル
１０  固定軸
１２  回転ユニットケース
１５  パンモータ軸
１６  パン回転ギア
１７  パンギア
１８  チルトモータ
１９  チルトモータ回転軸
２１  回転チルトギア
２２  チルト固定ギア
２３  カメラ側板
２４  カメラ押さえ板
２５、２６  チルト軸
２７、２８  チルト側板
２９、３０  ステー
１０１  ＣＰＵ（制御手段）
１０４  コントローラ
４０１  間歇駆動パターン
４０２  一定速度パターン
【図１】
2008268505.tif 000003
【図２】
2008268505.tif 000004
【図３】
2008268505.tif 000005
【図４】
2008268505.tif 000006
【図５】
2008268505.tif 000007
【図６】
2008268505.tif 000008
【図７】
2008268505.tif 000009
【図８】
2008268505.tif 000010
【図９】
2008268505.tif 000011